(57)【要約】【課題】同一の目盛表示部に複数種類の目盛パターンを表示可能とした定規において、表示させる目盛パターンの種類の組み合わせの選択が特別な制約を受けることがなく、複雑な可動機構や電気的制御機構が不要なため厚型化や故障、電池切れ等の問題もなく、測定誤差や目盛数字の読み誤り事故の危険も少ない、実用的価値の高い定規を提供する。【解決手段】定規本体の目盛表示部に、レンチキュラーレンズ１と、その背面側に位置整合して配設した、複数種類の目盛パターンを細線状に分解し幅方向に縮小した縮小パターンａ１，ｂ１，ｃ１，ａ２，ｂ２，ｃ２，‥‥を集積した集積縮小パターン２とを設けた定規である。複数種類の目盛パターンとしては、目盛線の間隔、目盛数字の数値、目盛数字の配置の少なくともいずれかが異なる目盛パターンを組み合わせて使用する。【選択図】図１
2006214848.tif 000002
【特許請求の範囲】
【請求項１】
定規本体の少なくとも一面の少なくとも一つの直線状の辺に沿って、所定間隔の目盛線を少なくとも含み、所定間隔の目盛数字を含むか又は含まない目盛パターンが表示された目盛表示部が設けられてなる定規において、
前記定規本体の少なくとも前記目盛表示部には、
表面形状が前記辺に平行な中心軸を有する所定幅の凸状円筒面が前記辺と垂直方向にその幅と同一の周期で多数繰返し配列された形状であり、背面形状が平面状である、透明な材質からなるレンチキュラーレンズと、
前記レンチキュラーレンズの背面側に位置整合して配設された、複数種類のパターンのそれぞれを細線状に分解し幅方向に縮小して得られる縮小パターンを該パターンの種類毎に前記凸状円筒面の幅の範囲内で幅方向に位置をずらして配列しつつ前記凸状円筒面の幅と同一の周期で配列集積してなる集積縮小パターンと、
が設けられてなり、
前記複数種類のパターンは、
前記目盛線の間隔、前記目盛数字の数値及び前記目盛数字の配置から選ばれる一つ以上が互いに異なる複数種類の目盛パターンを少なくとも含む
ことを特徴とする定規。
【請求項２】
前記レンチキュラーレンズの前記直線状の辺側の端辺は、該直線状の辺と位置整合させて設けられてなり、
前記目盛線の前記直線状の辺側の端部は、該直線状の辺と実質的に接触して表示される
ことを特徴とする請求項１に記載の定規。
【請求項３】
前記複数種類の目盛パターンは、
前記目盛線の色彩、前記目盛数字の色彩及び当該目盛パターンの背景の色彩から選ばれる一つ以上が互いに異なる
ことを特徴とする請求項１又は請求項２に記載の定規。
【発明の詳細な説明】
【技術分野】
【０００１】
本発明は、同一の目盛表示部に複数種類の目盛パターンを表示可能な定規に関する。
【背景技術】
【０００２】
従来、物の寸法を測ったり一定長の線を引いたりするために使用される定規としては、狭幅長尺平板状の定規本体の長辺に沿って、該長辺に垂直な短線分からなる目盛線が、例えばミリメートル単位等の所定間隔で、刻印又は印刷等により恒常的に表示されているものが一般的である。係る定規には、目盛線のみで目盛数字が表示されていないものもあれば、目盛線の近傍に、例えばセンチメートル単位等の所定間隔で、目盛数字がやはり刻印又は印刷等により恒常的に表示されているものもある。この目盛数字の配列様式としては、目盛線が表示された長辺を向かって上側にして見たときに、最も左端の目盛線に数値０の目盛数字が付され、右側へ行くに従って順に大きな数値の目盛数字が付された配列とされたものが一般的であるが、中には逆に、右側から左側へ行くに従って目盛数字の数値が順に大きくなる配列とされたものや、目盛線が付された長辺の略中央部の目盛線に数値０の目盛数字が付され、左右両側へ行くに従って順に大きな数値の目盛数字が付された配列とされたものなども用いられている。
【０００３】
ところで、係る定規に使用される長さの単位としては、現在ではミリメートル、センチメートル等のメートル法の単位が、我が国を含めほぼ世界的に標準的となっている。しかし、例えばアメリカ合衆国等においては、現在なお日常生活においてインチ、フィート等のヤード・ポンド法の単位が一般的に使用されているし、我が国においても、和裁や建築等の特殊な分野においては、鯨尺又は曲尺等の尺貫法の単位が依然として利用されている。また、建築や機械の製図の分野においては、実際の寸法を所定の縮尺で縮小して製図した図面が使用される場合が多い。そして、係る縮尺図面から実際の寸法を読み取るために、通常の定規を使用して計測した縮尺図面上での寸法から当該図面の縮尺に従って倍率換算して求めるのは面倒であるから、縮尺図面上で実際の寸法を直接読み取るために、予め目盛間隔を製図用の縮尺で縮小した目盛パターンの目盛表示部が設けられた、いわゆる縮尺目盛定規も利用されている。さらには、最近の乾式複写機の拡大・縮小機能の発達を受けて、製図した図面を拡大又は縮小複写して利用する場合も増加しており、この様な場合にも拡大又は縮小複写された図面から実際の寸法を直接読み取ることができるように、通常の目盛又は縮尺目盛を通常の乾式複写機の定型的な拡大・縮小倍率（例えば約１．４１倍、約１．２２倍、約１．１５倍、約０．８７倍、約０．８２倍、約０．７１倍等）で拡大又は縮小した目盛パターンの目盛表示部を設けた拡縮尺目盛定規の提案もなされている。
【０００４】
そして、係る各種の目盛パターンの目盛表示部を有する定規を各個別に用意したのであっては、用意すべき定規の数が多くなり、保管場所を取り管理も面倒で、持ち運びにも不便であり、また、多数の定規の中から必要とする定規を選び出す手間もかかることなどの問題があるため、一個の定規本体に複数種類の目盛パターンの目盛表示部を互いに異なる箇所に設けた定規も各種利用されている。例えば、通常の狭幅長尺平板状の定規本体であれば、その２つの長辺を利用することにより、片面だけでも２種類、両面を利用すれば最大４種類の目盛パターンの目盛表示部を有する定規が得られる。さらに目盛パターンの種類の多いものとしては、長尺三角柱状の定規本体を用いて６種類の目盛パターンの目盛表示部を設けたもの（特許文献１）は、いわゆる三角スケールとして建築や機械の製図の分野では既に一般的に使用されている。その他にも例えば、断面形状を略十字星形として８種類の目盛パターンの目盛表示部を設けたもの（特許文献２）、長方形板状の定規本体に長辺に平行な長孔を複数設け該長孔の両側及び定規本体の２つの長辺に沿って互いに異なる目盛パターンの目盛表示部を設けたもの（特許文献３）、扁平状に折り畳み可能な四角筒状の定規本体の各縁部に計８種類の目盛パターンの目盛表示部を設けたもの（特許文献４）等の提案がある。
【０００５】
さらには、単一の定規本体を用いる限り表示可能な目盛パターンの数には自ずと制約があることから、表示可能な目盛パターンの数を更に増加させるために、多数の定規本体を個別に利用可能に相互に繋合固着した構造のものの提案も各種なされている。例えば、互いに異なる目盛パターンの目盛表示部を有する複数の狭幅長尺板状の定規本体をその目盛り表示部とは反対側の長辺で本の様に綴じ合わせたもの（特許文献３）、互いに異なる目盛りパターンの目盛表示部を有する狭幅長尺状の定規本体を多数並列して屏風状に折り畳み可能に連結したもの（特許文献５）、互いに異なる目盛パターンの目盛表示部を有する複数の狭幅長尺平板状の定規本体を重ね合わせてその一端近傍に設けた貫通軸により扇骨状に回動可能に固定することにより必要な目盛パターンの定規本体のみを回動させて引き出し利用可能としたもの（特許文献６）等である。これらの様に、複数種類の目盛パターンの目盛表示部が設けられた定規を用意しておけば、一個の定規が複数の目的に利用可能となり便利である。
【０００６】
しかし、以上に例示した各種の定規はいずれも、一つの目盛表示部に表示される目盛パターンは１種類に固定されているから、例えば、これから長さを測定しようとする測定対象物の表面に、定規の複数の目盛表示部の内のある一つの目盛表示部を宛がった後になってから、当該目盛表示部に表示された目盛パターンが、使用者が使用を意図した目盛パターンとは異なっていた場合（例えば、測定対象物の長さをセンチメートル単位で測ろうとしていたのに、対象物に宛がっていた目盛表示部の目盛パターンがインチ目盛であった場合等）には、改めて使用を意図した目盛りパターンが表示された目盛表示部を探し出して対象物に宛がい直さなければならないという問題がある。また、一つの測定対象物の長さを、複数の目盛パターンを用いて測定しようとする場合（例えば、測定対象物の長さをセンチメートル単位とインチ単位との２通りの単位で測定しようとする場合等）には、まず定規の第一の目盛パターンの目盛表示部を探し出して、これを測定対象物に宛がって測定し、定規を一端測定対象物から離してから、定規の第二の目盛パターンの目盛表示部を探し出し、これを改めて測定対象物に宛がって測定するという様に、定規に設けられた複数種類の目盛パターンの目盛表示部の中から、測定に使用したい目盛パターンの目盛表示部を探し出す動作と、測定対象物に定規の目盛表示部に宛がう動作とを、測定に使用したい目盛パターンの数だけ、繰り返さなければならないという問題がある。
【０００７】
上記の問題に鑑みて、定規本体の一つの目盛表示部に複数種類の目盛パターンを表示可能とした定規も、既に何種類か提案されている。例えば、目盛表示部に一目盛を複数の縮尺の長さに読み替える複数種類の目盛数字の列を並列して表示したもの（特許文献７）の提案がある。この定規は、測定対象物に宛がって目盛を読み取る際に、読み取る目盛数字の列を選択することにより、１回の宛がい動作で複数種類の縮尺による測定が可能となる利点がある。しかし、係る構造の定規は、縮尺が例えば実寸と２分の１縮尺、１０分の１縮尺という様に、目盛間隔の比が簡単な整数比で表される複数種類の目盛パターン同士であれば良いが、例えばセンチメートル目盛とインチ目盛、曲尺目盛という様に、目盛間隔の比を簡単な整数比で表すことができない複数種類の目盛パターンを同時に表示しようとすると、目盛線の表示が複雑になりすぎて実用的でなくなるから、同時に選択可能な目盛パターンの種類の組み合わせには制約がある。また、各目盛パターンの目盛間隔の比が簡単な整数比で表される場合であっても、多数の目盛数字が並列されて同時に表示されているため、目盛の読み取りの際に、本来読み取るべき列とは異なる列の目盛数字を誤って読み取ってしまうことにより、誤測定の原因となる場合もあるという問題もある。
【０００８】
また、他の例として、定規本体の目盛表示部に平面磁石を設けそこに吸着させる目盛表示付吸磁板を交換することによって多種類の目盛パターンを表示可能としたもの（特許文献８）の提案もあり、この定規は上記の問題に対しては、確かに定規本体自体の宛がい作業は１回のみで済むが、測定目的に合わせて目盛表示付吸磁板を交換しなければならないという点では、実質的に上記の問題の解決とはなっていない。部品の交換を必要とせずに目盛パターンの切替が可能なものとしては、長尺状の定規本体の一面に長手方向に延設した凹溝内に回動可能に貫挿した六角柱体の各側面に互いに異なる目盛パターンを設けたもの（特許文献９）や、パンタグラフ機構等を利用した伸縮部材上に目盛線を設けて目盛間隔を自在に変更可能としたもの（特許文献１０）などの提案もある。しかしこれらは、内部に可動機構を有するため、製作が面倒で高価となり、薄型化が困難なため使い勝手が悪く、可動部分の部品の磨耗や変形、ゴミ詰まり等により故障し易いほか、前者は定規本体の長辺と六角柱体の側面端部との間に必然的に一定以上の距離が発生するため、目盛線を六角柱体の側面のみに設けた場合には読み取り誤差を発生し易く、目盛線を定規本体の端部と凹溝との間の面上にも設けた場合には、目盛間隔の比を簡単な整数比で表すことができない複数種類の目盛パターンを同時に表示することが困難となる。一方後者は、伸縮部材の伸縮を使用者が手動で行うため、測定精度の保証が困難であるという問題がある。
【０００９】
さらに他の例として、定規本体の長辺に沿って設けた目盛表示部を液晶表示パネルとして電気的制御により任意の目盛パターンを切替表示可能としたもの（特許文献１１、特許文献１２）の提案もある。しかしこれも、電池切れの場合には使用不能となることや、定規本体の端部と液晶表示パネルの有効表示部の端部との間に必然的に一定以上の距離が発生するため、測定の際に読み取り誤差を発生し易いこと、液晶表示パネルに表示される目盛線の位置精度は液晶表示パネルの解像度（画素サイズ）による制約を受けるため、あまり高い測定精度は得られないことなどの問題がある。
【特許文献１】実開平６−８６００１号公報
【特許文献２】実開平５−２８９０３号公報
【特許文献３】実開平７−４０８４号公報
【特許文献４】特開２００３−２４６１９２号公報
【特許文献５】特開平１０−２６５０１号公報
【特許文献６】特開２００３−１９９５号公報
【特許文献７】特開平８−５０００１号公報
【特許文献８】特開２００１−３１７９０３号公報
【特許文献９】実開平５−２８９０２号公報
【特許文献１０】国際公開ＷＯ０１／０３８８１８号のパンフレット
【特許文献１１】特開平７−４９０１号公報
【特許文献１２】特開平８−９４３０１号公報
【特許文献１３】特開平８−１８４９１１号公報
【特許文献１４】特開２００２−３６５４０５号公報
【発明の開示】
【発明が解決しようとする課題】
【００１０】
本発明は、従来の技術における上記の様な問題点を解決するためになされたものであって、その課題とするところは、同一の目盛表示部に複数種類の目盛パターンを表示可能とした定規において、表示させる目盛パターンの種類の組み合わせの選択が特別な制約を受けることがなく、複雑な可動機構や電気的制御機構が不要なため厚型化や故障、電池切れ等の問題もなく、測定誤差や目盛数字の読み誤り事故の危険も少ない、実用的価値の高い定規を提供することにある。
【課題を解決するための手段】
【００１１】
本願請求項１に記載の発明は、定規本体の少なくとも一面の少なくとも一つの直線状の辺に沿って、所定間隔の目盛線を少なくとも含み、所定間隔の目盛数字を含むか又は含まない目盛パターンが表示された目盛表示部が設けられてなる定規において、前記定規本体の少なくとも前記目盛表示部には、表面形状が前記辺に平行な中心軸を有する所定幅の凸状円筒面が前記辺と垂直方向にその幅と同一の周期で多数繰返し配列された形状であり、背面形状が平面状である、透明な材質からなるレンチキュラーレンズと、前記レンチキュラーレンズの背面側に位置整合して配設された、複数種類のパターンのそれぞれを細線状に分解し幅方向に縮小して得られる縮小パターンを該パターンの種類毎に前記凸状円筒面の幅の範囲内で幅方向に位置をずらして配列しつつ前記凸状円筒面の幅と同一の周期で配列集積してなる集積縮小パターンと、が設けられてなり、前記複数種類のパターンは、前記目盛線の間隔、前記目盛数字の数値及び前記目盛数字の配置から選ばれる一つ以上が互いに異なる複数種類の目盛パターンを少なくとも含むことを特徴とする定規である。
【００１２】
本願請求項２に記載の発明は、上記請求項１に記載の発明において、前記レンチキュラーレンズの前記直線状の辺側の端辺は、該直線状の辺と位置整合させて設けられてなり、前記目盛線の前記直線状の辺側の端部は、該直線状の辺と実質的に接触して表示されることを特徴とする定規である。
【００１３】
本願請求項３に記載の発明は、上記した本願請求項１又は請求項２に記載の発明において、前記複数種類の目盛パターンは、前記目盛線の色彩、前記目盛数字の色彩及び当該目盛パターンの背景の色彩から選ばれる一つ以上が互いに異なることを特徴とする定規である。
【発明の効果】
【００１４】
本願請求項１に記載の発明によれば、定規本体の目盛表示部に設けられたレンチキュラーレンズの上方からこの定規を観察した場合に、レンチキュラーレンズの背面に配設された集積縮小パターンに含まれる縮小パターンの内、レンチキュラーレンズの表面の凸状円筒面の中心軸に垂直な面内において該面と目盛表示部がなす面との交線と使用者の視線（使用者の目と使用者が見ている目盛表示部内の箇所とを結ぶ線）とがなす角度（視角）によって定まる一つの目盛パターンに対応する縮小パターンのみが、レンチキュラーレンズの屈折作用によって幅方向に拡大され且つ幅方向に連続的に接続合成されて、前記一つの目盛パターンとして使用者に視認される。すなわち、使用者は、目盛表示部を一定の視角で観察する限り、この定規が表示可能な複数種類の目盛パターンの内、当該視角によって定まる一つの目盛パターンのみを観察可能であり、目盛表示部を観察する視角を変更することによって、観察される目盛パターンを他の一つの目盛パターンに自由に変更することができる。
【００１５】
この様に、同一の目盛表示部に複数種類の目盛パターンを使用者の意思によって自由に選択して観察可能でありながら、複数種類の目盛パターンが同時に観察される訳ではないので、目盛線や目盛数字の読み違いのおそれがない。また、各々の目盛パターンは、使用時にはそれぞれが全く独立して観察されるから、目盛間隔の比を簡単な整数比で表すことができない複数種類の目盛パターンを設けた場合にも、目盛間隔の異なる目盛線を同時に表示した場合の様な目盛線の読み取りの煩雑さが発生することがなく、また、数値又は配置の異なる目盛数字を含む複数種類の目盛パターンを設けた場合にも、一つの目盛パターン中の目盛数字を他の目盛パターン中の目盛数字と誤って読み取ってしまうことがなく、視角さえ固定すれば単一の目盛パターンのみを有する定規の場合と全く同様に、何ら困難なく使用可能である。
【００１６】
また、同一の測定対象物の長さを、複数種類の単位又は縮尺等、複数種類の目盛パターンを利用して測定しようとする場合には、一度定規を測定対象物に宛がえば、これを所定の視角から観察してある一つの目盛パターンを利用して測定した後、定規を測定対象物から一度離して再度宛がい直す必要なく、単に視角を変更するだけで、他の目盛パターンを利用して測定することができる。さらに、この定規の目盛表示機構は、複雑な可動機構や電気的制御機構を必要としないので、定規本体が極度に厚型化して嵩張る様なこともなければ、可動部分の部品の磨耗や変形、ゴミ詰まり等による故障や、電気回路の故障又は電池切れ等による使用不能事故等の問題もなく、しかも、レンチキュラーレンズと集積縮小パターンとの２つを基本的構成要素とする簡単な構造であるから、簡便且つ安価に製造可能である。
【００１７】
また、本願請求項２に記載の発明によれば、目盛表示部に沿った定規本体の直線状の辺側のレンチキュラーレンズの端辺を、該直線状の辺と位置整合させて設け、目盛表示部に観察される目盛パターン中の目盛線の該直線状の辺側の端部（目盛線の端部）が、定規本体の該直線状の辺に実質的に接触して観察される様に構成したので、測定対象物に定規本体の前記直線状の辺に相当する端部（定規本体の端部）を宛がった状態で目盛表示部に表示される目盛を読み取る際に、目盛線の端部と定規本体の端部との間の距離に起因する読み取り誤差が殆ど発生せず、高精度の測定が可能である。
【００１８】
上記の点は、本発明の定規の如く同一の目盛表示部に複数種類の目盛パターンを切り替え表示可能とした定規においては特に重要である。すなわち、従来提案されていた各種の可動機構や液晶表示パネル等を利用した定規にあっては、設計上、目盛線の端部と定規本体の端部との間には一定の距離を置かざるを得ず、そのため得られる測定精度には自ずと限界があるという問題を抱えていたのであるのに対し、本発明の定規は、上述した通り可変表示機構としてレンチキュラーレンズを採用したことにより、目盛線の端部を定規本体の端部に実質的に接触させて表示することが可能となり、これにより定規として十分な測定精度を確実に確保することが可能となったのである。
【００１９】
また、本願請求項３に記載の発明によれば、同一の目盛表示部に表示可能な複数種類の目盛パターンにおける、目盛線の色彩及び目盛パターンの背景の色彩から選ばれる一つ以上、若しくは、目盛数字が表示される場合には、目盛線の色彩、目盛数字の色彩及び目盛パターンの背景の色彩から選ばれる一つ以上（以下併せて「目盛線等」という）を、互いに異ならせたことにより、使用中に使用者が、目盛表示部に観察される目盛パターンをその目盛線等の色彩によって、どの種類の目盛パターンを観察しているのかを容易に認識可能である。
【００２０】
従って、例えば使用者が定規の目盛表示部の長手方向に沿って視線を移動させつつ目盛を読み取る際に、同一の目盛パターンのみを観察するために視角を一定に保つべきところを、視線の移動に伴い誤って視角を変化させたために、他の目盛パターンが観察されてしまうことがあっても、視線の移動の前後における視認された目盛パターンの目盛線等の色彩の変化によって、誤って視角を変化させたことを容易に認識することができ、しかもその場合、視線の移動後に見ている目盛表示部の箇所において、観察される目盛線等の色彩が視線の移動前と同一となる様に、視角を変化させることにより、視線の移動前と同一の目盛パターンを容易に探し当てることができ、斯くして目盛パターンの読み違いによる誤測定事故の発生を効果的に防止することができる。
【００２１】
さらには、同一の測定対象物を複数種類の目盛パターンを利用して測定しようとする場合には、視角を変化させた際に観察される目盛線等の色彩の変化に基いて、観察される目盛パターンがどの種類の目盛パターンに変化したのかを容易に認識することができ、目盛パターンの種類の確認が容易となるので、測定の作業効率が向上すると共に、利用する目盛パターンの種類の選択の誤りによる誤測定事故の発生を効果的に防止することができる。
【発明を実施するための最良の形態】
【００２２】
以下、本発明を図面に従って説明すれば、図１は本発明の定規の一例における定規本体の目盛表示部に沿った直線状の辺に垂直な面による該辺の近傍部分の部分垂直断面図であり、定規本体の上面側には、表面１１の形状は定規本体の目盛表示部に沿った辺（定規本体の端部４に相当）に平行な中心軸を有し上に凸の凸状円筒面が幅方向（目盛表示部に沿った辺に垂直な方向）に多数繰り返し配列された形状であり、背面１２の形状は平面状であるレンチキュラーレンズ１と、当該レンチキュラーレンズ１の背面１２側に配設された集積縮小パターン２とが設けられている。
【００２３】
集積縮小パターン２は、複数種類のパターン（第１〜第３の３種類のパターン）のそれぞれを、その幅方向にレンチキュラーレンズ１の凸状円筒面の幅と同一幅の細線状に分解し、幅方向に縮小（幅３分の１に縮小）して得られる縮小パターン（第１のパターンの縮小パターンａ１，ａ２，ａ３，‥‥、第２のパターンの縮小パターンｂ１，ｂ２，ｂ３，‥‥、第３のパターンの縮小パターンｃ１，ｃ２，ｃ３，‥‥）を、パターンの種類毎に幅方向に位置をずらしつつ（一つの第１のパターンの縮小パターンａ１と、一つの第２のパターンの縮小パターンｂ１と、一つの第３のパターンの縮小パターンｃ１とを、これら３つの縮小パターンａ１，ｂ１，ｃ１の集積体の幅が上記凸状円筒面の幅と等しくなる様に、互いに隣接して配置しつつ）、上記凸状円筒面の幅と同一の周期で幅方向に配列集積（縮小パターンａ１，ｂ１及びｃ１の集積体の隣に縮小パターンａ２，ｂ２及びｃ２の集積体を配列し、更にその隣に縮小パターンａ３，ｂ３及びｃ３の集積体を配列し、以下同様に繰り返し配列して集積）してなるものである。
【００２４】
係る構成により、この定規の目盛表示部を図１に示す視角Ａから観察した場合には、レンチキュラーレンズ１の光の屈折作用（レンズ作用）により、第２のパターンの縮小パターンｂ１，ｂ２，ｂ３，‥‥及び第３のパターンの縮小パターンｃ１，ｃ２，ｃ３，‥‥は全く視認されず、第１のパターンの縮小パターンａ１，ａ２，ａ３，‥‥のみが幅方向に拡大されて（拡大倍率３倍）しかも幅方向に連続に接続されて、恰も集積縮小パターン２の位置に分解・縮小等の加工前の第１のパターンのみが存在するかの様に観察される（第１のパターンが観察される）。
【００２５】
ここで観察する視角を視角Ａから視角Ｂに変化させると、第１のパターンは観察されなくなり、その代わりに第２のパターンの縮小パターンｂ１，ｂ２，ｂ３，‥‥が、同様にレンチキュラーレンズ１の光の屈折作用により拡大、幅方向に連続に接続されて、第２のパターンが観察され、更に観察する視角を視角Ｃに変化させると、第２のパターンも観察されなくなり、第３のパターンが観察される。この様にして、使用者が目盛表示部のレンチキュラーレンズ１に対する視角を変化させるだけで、集積縮小パターン２の中に縮小された形で集積されている複数種類のパターンの内の任意のパターンのみを自由に選択して観察することができる訳である。
【００２６】
係るレンチキュラーレンズを用いた可変表示の原理自体は、例えば前掲の特許文献１３や特許文献１４に見られる様に従来夙に周知であり、玩具や教育用媒体、広告・宣伝媒体等に既に広く使用されているが、それらは主として視角による絵柄等の変化を楽しむ娯楽的な目的や、絵柄等の変化の意外性により人の目を惹き付ける広告・宣伝目的等で使用されるのが一般的であり、本発明の如く産業上の実用品を目的とした応用例は現在までのところ極めて少ない。
【００２７】
本発明において、レンチキュラーレンズ１としては上記した従来の各種用途のものと同様のものを使用することができる。その材質は少なくとも背面側の集積縮小パターン２を透視可能な透明性を有するものであれば何であっても良いが、一般的には例えば塩化ビニル樹脂、スチロール樹脂、アクリル樹脂又はポリエステル樹脂等の合成樹脂が使用される場合が多い。レンチキュラーレンズ１の表面１１の凸状円筒面は、その幅が０．２〜１ｍｍ程度に設計されるのが一般的で、最も望ましくは０．３〜０．６ｍｍ程度であり、曲率半径は通例、幅の０．５〜１．０倍程度である。ここで凸状円筒面の円筒面とは、必ずしも真円筒面に限定されるものではなく、その他にも例えば楕円筒面、放物面、双曲面、正弦曲面等、真円筒面に近似した形状であれば良い。レンチキュラーレンズ１の厚みは、強度等を考慮して最小厚み（最も薄い箇所である隣接する凸状円筒面の境界部分における厚み）が０．１〜２ｍｍ程度に設計されるのが一般的であり、これに凸状円筒面の高さ（凸状円筒面の幅の約０．１３〜１．０倍程度）を加えた厚みがレンチキュラーレンズ１の最大厚みとなる。
【００２８】
本発明においてレンチキュラーレンズ１は、その表面１１の凸状円筒面の中心軸が定規本体の目盛表示部に沿った辺と平行となる様に設ける必要がある。これが平行でない場合、例えば垂直である場合には、定規本体の目盛表示部に沿った辺を上側に向けて観察したときに、観察されるパターンの種類を変化させるためには視角を左右方向に変化させることになるが、この左右方向の視角の変化は、同一の目盛パターンが観察される視角の範囲内における僅かな変化でも、観察される目盛線の位置を左右方向に変化させてしまうので、正確な測定が困難となる。また、特に定規の長さが長い場合には、同一の目の位置から観察した時の左右方向の視角は、目盛表示部の左右方向の場所によって異なるため、左右方向の場所によって異なるパターンが観察されることになり、測定作業に支障を来たす原因となる場合がある。これに対し、レンチキュラーレンズ１の表面１１の凸状円筒面の中心軸が定規本体の目盛表示部に沿った辺と平行であれば、観察されるパターンの種類や目盛線の位置は、左右方向の視角の影響を受けないから、上記の様な問題が発生することがない。
【００２９】
レンチキュラーレンズ１は、定規本体の全表面に亘って設けられていても良いし、目盛表示部のみに設けられていても良く、後者の場合、目盛表示部以外の部分は、当該レンチキュラーレンズ１とは別の部材を接合することによって形成されていても良いし、レンチキュラーレンズ１と同一の材質により一体として成形された、表面に凸状円筒面が形成されていない部分によって構成されていても良い。なお、定規本体の目盛表示部に沿った直線状の辺における端部（定規本体の端部４）と、目盛表示部の当該定規本体の端部４側の端部（目盛表示部の端部）との間には、必要に応じて適宜の間隔が設けられていても良い。但し、この間隔をあまり広く設計すると、定規の使用時に定規本体の端部を測定対象物に宛がって目盛を読み取る際に、観察される目盛線の端部と定規本体の端部４との間に距離が開くことにより、目盛の読み取り誤差を発生する原因となる場合がある。従って、定規本体の端部４と目盛表示部の端部との間の間隔は、可能な限り狭く設計することが望ましい。一般的な定規の使用の態様を考慮すれば、当該間隔の許容範囲は通常１ｍｍ以内、さらに好ましくは０．５ｍｍ以内程度であると考えられる。この点で、従来提案されていた可動機構や液晶表示パネルを利用した定規にあっては、当該間隔を１ｍｍ以内に収めることは技術的にかなり困難であるのに対し、本発明の定規にあっては、当該間隔を１ｍｍ以内や０．５ｍｍ以内に収めることに、技術的には何らの障碍もない。本発明の定規においては、当該間隔は実質的に、定規本体の目盛表示部に沿った直線状の辺と、レンチキュラーレンズ１の該直線状の辺側の端辺との間の間隔によって決定される。従って、定規本体の目盛表示部に沿った直線状の辺と、レンチキュラーレンズ１の該直線状の辺側の端辺とを位置整合させて、目盛表示部に表示される目盛線の該直線状の辺側の端部（目盛線の端部）が、該直線状の辺と実質的に接触して（目盛線の端部が該直線状の辺に到達して、若しくは両者間の距離が測定時に使用者によって実質的に隙間として意識されることのない程度に十分に近接して）観察される様に構成すると、測定時の目盛の読み取り誤差が最も低減され、最も高精度の測定が可能となるので、最も望ましい。このためには、レンチキュラーレンズ１の背面側に配設された集積縮小パターンの該直線状の辺側の端辺も、該直線状の辺と位置整合して設けられていることが望ましい。
【００３０】
レンチキュラーレンズ１の背面側には必要に応じて、集積縮小パターン２を介して、任意の裏打材３を設けることができる。本発明の定規における定規本体は基本的には、必須構成要素たるレンチキュラーレンズ１及び集積縮小パターン２と、必要に応じて設けられる裏打材３その他の部材とによって構成される。裏打材３の材質や形状には一切制限はなく、本発明の定規を平板状の定規とする場合には例えば金属板又はプラスチック板等の板状体を用いれば良いし、三角スケールとする場合には三角柱状体を用いれば良い。レンチキュラーレンズ１自体で定規として必要な強度を十分に確保できる場合には、裏打材３は設けなくても良いし、或いは裏面保護程度の意味で、紙、プラスチックフィルム又は金属箔等の薄葉体を用いたり、印刷インキ又は塗料の全面又は部分塗布で代用したりこともできる。裏打材３を設ける場合には、レンチキュラーレンズ１は裏打材３の目盛表示部側の面の全面を覆う様に設けても良いし、目盛表示部のみに部分的に設けても良い。
【００３１】
裏打材３の上記の目盛表示部が設けられた部分とは他の部分（例えば他の面や、同一面内の他の辺に沿った箇所等）の一箇所又は複数箇所には、任意の絵柄や表示を設けても良いし、さらには、他の目盛表示部を設けることも任意である。当該目盛表示部は、刻印又は印刷等により１種類の目盛パターンのみが固定的に表示された目盛表示部（固定目盛表示部）であっても良いし、上記の目盛表示部と同様にレンチキュラーレンズ及び集積縮小パターンを備え複数種類の目盛パターンを表示可能な目盛表示部（可変目盛表示部）であっても良く、相異なる箇所に両者が併設されていても良い。係る如く複数の目盛表示部を設けた定規の場合にあっても、可変目盛表示部を少なくとも一箇所に有する本発明の定規は、全ての目盛表示部が固定目盛表示部である定規の場合と比較すれば、使用時の目盛表
示部の選択の手間を大幅に軽減することができる。
【００３２】
なお、本発明の定規の全体形状にも一切制限はなく、平板状のものであれば平面形状が通常の狭幅長尺状のほか例えば三角形状（いわゆる三角定規）、四角形状、半円状、扇形状、「く」の字状等、平板状以外の立体形状では例えば三角柱状（いわゆる三角スケール）、四角柱状、十字星型柱状、直方体状等、用途に応じ任意に設計することができる。
【００３３】
集積縮小パターン２は、表示しようとする複数種類のパターンを元に公知の画像処理技術や製版技術を用いて作製した印刷版を用いて、例えばオフセット印刷法又はグラビア印刷法等の印刷技法により形成することができる。或いは印刷版を用いることなく画像処理データを元にインクジェット法又は電子写真法等により形成したり、写真製版技術を応用したいわゆるフォトリソグラフ法等により形成したりすることもできる。集積縮小パターン２はレンチキュラーレンズ１の背面に直接形成しても良いし、別途用意した裏打材３の表面に形成しておいてからこれをレンチキュラーレンズ１と貼合わせても良い。但し、レンチキュラーレンズ１の位置（表面１１の凸状円筒面の繰り返し配列パターンの位置）と集積縮小パターン２の位置（各縮小パターンの配列パターンの位置）とが十分に整合していないと、所定の視角（視角Ａ、視角Ｂ又は視角Ｃ）から観察しても所定のパターン（第１、第２又は第３のパターン）のみを明瞭に観察することができなくなるので、両者の位置を十分に整合させることが重要である。
【００３４】
本発明においては、集積縮小パターン２を構成する各縮小パターンの元となる複数種類のパターン、すなわち目盛表示部に表示可能な複数種類のパターンは、少なくとも複数種類の目盛パターンを含むことが必要である。目盛パターンは、少なくとも所定間隔の目盛線を含み、必要に応じて所定間隔の目盛数字を含んで構成されるものであり、さらに必要に応じて目盛線及び目盛数字以外の任意の絵柄や表示、例えば単位系の表示等の目盛パターンの種類に関する表示等を含んでいても良い。
【００３５】
ここで、複数種類の目盛パターンとは、目盛パターンに含まれる目盛線の間隔、目盛数字の数値、目盛数字の配置の少なくともいずれかが互いに異なる目盛パターンである。なお、目盛線が目盛表示部の幅方向（目盛表示部に沿った辺に垂直な方向）の長さの異なる複数種類を含む場合は、長さの種類を考慮せずに全ての目盛線に着目したときの目盛線の間隔が、２つの目盛パターンの間で同一であったとしても、ある１種類の長さの目盛線のみに着目したときのその間隔が、当該２つの目盛パターンの間で異なっていれば、当該２つの目盛パターンは、目盛線の間隔が異なるものとする。
【００３６】
目盛表示部に表示可能な複数種類のパターンは、複数種類の目盛パターンの他に、目盛パターン以外のパターンを含んでいても良い。目盛パターン以外のパターンとしては、例えば娯楽用等の任意の絵柄や、広告表示、定規の使用説明書、製造者・販売者の表示、品質表示等であっても良いし、絵柄や文字等を含まない単色無地であっても良い。
【００３７】
目盛表示部に表示可能なパターンの種類の数は、本発明においては少なくとも２種類以上とすることが必要であり、その数が多いほど多くの種類の目盛パターンを表示可能となって用途が拡がる利点はある。しかし、レンチキュラーレンズ１を利用した可変表示機構によれば、技術的には最大約２０種類程度まで可能であるが、表示可能なパターンの種類の数をあまり多くすると、１種類のパターンを観察可能な視角の範囲が極端に狭くなって、定規の使用中に使用者の体の動き等によって僅かでも視角がずれると、目盛表示部に観察されるパターンが他のパターンに変化してしまい、目盛の読み取りが困難になるという問題が発生し易くなる。従って、同一の目盛表示部に表示可能なパターンの数は、６種類以内程度とすることが望ましい。
【００３８】
目盛表示部に表示させる目盛パターンの具体的な種類については、本発明において何ら限定されるものではなく、所望により任意の複数種類の目盛パターンを組み合わせて採用することができる。以下にその具体例を幾つか挙げて説明するが、本発明はこれらに限定されるものでは勿論ない。以下の各例ではそれぞれ３種類乃至４種類の目盛パターンの組み合わせが表示可能とされているが、それら３種類乃至４種類から選ばれる一部の２種類以上のみの組み合わせであっても良いし、それら３種類乃至４種類の全部又は一部に更に他の１種類以上の目盛パターンを追加した組み合わせであっても良く、さらには、以下の各例中の各種類の目盛パターンから任意に選択した組み合わせや、それに更に他の１種類以上の目盛りパターンを追加した組み合わせ、以下の各例中には挙げられていない複数種類の目盛パターンの組み合わせ等であっても良い。
【００３９】
図２に示す定規は、図２（ａ）に示すセンチメートル目盛と、図２（ｂ）に示すインチ目盛と、図２（ｃ）に示す曲尺目盛との３種類の目盛パターンが表示可能とされたものである。図２（ａ）のセンチメートル目盛の目盛パターンには、目盛表示部に沿った辺２５に垂直方向の長さが１０ｍｍの目盛線２３が前記辺２５に沿った方向に１０ｍｍ間隔で設けられ、当該各目盛線２３の相互間には前記辺２５に垂直方向の長さが約７ｍｍの目盛線が前記辺２５に沿った方向に５ｍｍ間隔で設けられ、さらにこれら各目盛線の相互間には前記辺２５に垂直方向の長さが約５ｍｍの目盛線が前記辺２５に沿った方向に１ｍｍ間隔で設けられている（これを以下、長さ１０ｍｍの目盛線が１０ｍｍ間隔、長さ７ｍｍの目盛線が５ｍｍ間隔、長さ５ｍｍの目盛り線が１ｍｍ間隔、という様に表記する）。
【００４０】
一方、図２（ｂ）に示すインチ目盛の目盛パターンには、長さ１０ｍｍの目盛線が１インチ（約２５．４ｍｍ）間隔、長さ７ｍｍの目盛線が０．５インチ（約１２．７ｍｍ）間隔、長さ５ｍｍの目盛線が０．１インチ（約２．５４ｍｍ）間隔で設けられ、図２（ｃ）に示す曲尺目盛の目盛パターンには、長さ１０ｍｍの目盛線が１寸（約３０．３ｍｍ）間隔、長さ７ｍｍの目盛線が０．５寸（約１５．１５ｍｍ）間隔、長さ５ｍｍの目盛線が０．１寸（約０．３０３ｍｍ）間隔で設けられている。
【００４１】
そして、この定規の目盛表示部２２に対する視角を、例えば図１に示す視角Ａとすると図２（ａ）のセンチメートル目盛、視角Ｂとすると図２（ｂ）のインチ目盛、視角Ｃとすると図２（ｃ）の曲尺目盛の目盛パターンが、それぞれ観察される様に構成されたものである（ここで図１と図２との関係を示せば、図１は図２（ａ）中に線分ｘ−ｘで示した箇所における目盛表示部に沿った辺２５の近傍部分の部分垂直断面図に相当する）。この定規を使用すれば、一本の定規をセンチメートル目盛の定規、インチ目盛の定規及び曲尺目盛の定規の３通りの用途に使用することができるのみならず、使用にあたり用途によって測定対象物に宛がうべき辺２５を選び出す手間を省くことができ、さらには測定対象物に定規の目盛表示部２２に沿った辺２５を一度宛がえば、あとは定規を動かすことなく視角を変化させるだけで、測定対象物の寸法をセンチメートル単位、インチ単位及び寸単位の３つの単位で測定することができる。
【００４２】
なお、各目盛パターンにおける目盛線２３の色彩を、例えば図２（ａ）のセンチメートル目盛の目盛パターンにおいては黒色、図２（ｂ）のインチ目盛の目盛パターンにおいては赤色、図２（ｃ）の曲尺目盛の目盛パターンにおいては青色といった様に、それぞれ異なった色彩としておくと、目盛表示部に沿って視点を左右に移動させつつ目盛を読み取る際に、一定に保つべき視角を誤って変化させてしまった場合に、例えば測定対象物の左端部では図１に示す視角Ａにより図２（ａ）のセンチメートル目盛の目盛パターンの黒色の目盛線２３が観察されていたのが、測定対象物の右端部では視角Ｂに変化したとすると、図２（ｂ）のインチ目盛の目盛パターンの赤色の目盛線２３が観察されることになり、視角の変化のために本来観察すべきものとは別の目盛パターンを観察していることを、観察される目盛線２３の色彩の変化によって使用者が容易に気付くことができ、ここで使用者が視角を変化させて本来観察すべき黒色の目盛線２３を観察することにより、観察すべき目盛パターンの選択の誤りによる誤測定事故を確実に防止することが可能となる。
【００４３】
なお、同様の効果は、目盛線２３の色彩の代わりに目盛パターンの背景の色彩を異ならせることによっても達成できる。例えば、目盛線２３の色彩は全て黒色で統一したまま、目盛パターンの背景の色彩を、図２（ａ）のセンチメートル目盛の目盛パターンにおいては白色、図２（ｂ）のインチ目盛の目盛パターンにおいては黄色、図２（ｃ）の曲尺目盛の目盛パターンにおいては空色、といった具合にである。ここで、目盛パターンの背景の色彩は、単色無地に限られるものではなく、例えば縞状、格子状、市松状、水玉状等の任意の地紋状であっても良く、係る地紋状の場合には複数色の組み合わせであっても良い。また、目盛線２３の色彩による区別と目盛パターンの背景の色彩による区別とを併用しても良い。例えば、図２（ａ）のセンチメートル目盛の目盛パターンにおいては目盛線２３を黒色、目盛パターンの背景の色彩を白色、図２（ｂ）のインチ目盛の目盛パターンにおいては目盛線２３を赤色、目盛パターンの背景の色彩を白色、図２（ｃ）の曲尺目盛の目盛パターンにおいては目盛線２３を黒色、目盛パターンの背景の色彩を空色、といった具合にである。
【００４４】
本発明において、目盛表示部２２には目盛線２３の他に、所定間隔の目盛数字２４を併せて表示することもできる。図３に示す定規は、図２に示す定規における各目盛パターンに目盛数字２４を追加したもので、図３（ａ）のセンチメートル目盛の目盛パターンにおいてはセンチメートル単位の目盛数字２４が１０ｍｍ間隔で、図３（ｂ）のインチ目盛の目盛パターンにおいてはインチ単位の目盛数字２４が１インチ（約２５．４ｍｍ）間隔で、図３（ｃ）の曲尺目盛の目盛パターンにおいては寸単位の目盛数字２４が１寸（約３０．３ｍｍ）間隔で、それぞれ設けられている。この例では全ての目盛パターンに目盛数字が設けられているが、目盛数字２４を含む目盛パターンと目盛数字２４を含まない目盛パターンとを混在させて同一の目盛表示部２２に表示可能に構成しても良い。
【００４５】
なお、目盛数字２４を含む目盛パターンを用いた場合には、上述した色彩による区別において、目盛数字２４の色彩による区別を利用することもできる。例えば、図３に示す定規の場合、全ての目盛パターンにおいて目盛線２３の色彩を黒色、目盛パターンの背景の色彩を白色で統一しつつ、目盛数字２４の色彩を、図２（ａ）のセンチメートル目盛の目盛パターンにおいては黒色、図２（ｂ）のインチ目盛の目盛パターンにおいては赤色、図２（ｃ）の曲尺目盛の目盛パターンにおいては青色、といった具合にである。勿論、目盛数字２４の色彩による区別と、目盛線２３の色彩による区別及び／又は目盛パターンの背景の色彩による区別とを併用することも可能である。
【００４６】
本発明の定規に利用可能な単位系は上記３種に限定されるものでは勿論なく、その他にも例えば鯨尺（１寸＝約３８ｍｍ）、ポイント・パイカ（１ｐｔ＝約０．３５ｍｍ、１ｐｃ＝約４．２ｍｍ）等、公知の任意の単位系を適宜組み合わせて採用することができる。また、係る長さに係わる目盛の他、例えば指数目盛、対数目盛、平方根目盛、三角関数目盛、双曲線関数目盛等の特殊な目盛を適宜組み合わせて採用することもできる。
【００４７】
図４に示す定規は、本発明の応用による縮尺定規の一例であり、図４（ａ）の実寸目盛の目盛パターン（図３（ａ）と同一のセンチメートル目盛の目盛パターン）と、図４（ｂ）の縮尺１０分の１の縮尺目盛の目盛パターンと、図４（ｃ）の縮尺２０分の１の縮尺目盛の目盛パターンと、図４（ｄ）の縮尺５０分の１の縮尺目盛の目盛パターンとの４種類の目盛パターンが表示可能に構成されたものである。このうち実寸目盛の目盛パターンと縮尺１０分の１の縮尺目盛の目盛パターンとは、目盛線の間隔及び目盛数字の位置は同一であって、目盛数字の数値のみが異なっている。この定規にも、上記した図２や図３に示した定規の場合と同様にして、目盛線２３の色彩、目盛数字２４の色彩及び／又は目盛パターンの背景の色彩による区別手段を施すこともできる。
【００４８】
なお、縮尺目盛の縮尺としては上記した３種類に限定されるものでは勿論なく、用途により任意に選ぶことができる。例えば一般機械製図用であれば縮尺２分の１〜１００分の１程度、土木・建築製図用であれば縮尺５０分の１〜１０００分の１程度、地図用であれば縮尺１０００分の１〜１００万分の１程度の範囲から適宜選択すればよい。また、例えば半導体集積回路や微小機械等の設計図面にあっては、上記とは逆に拡尺図面が使用される場合が多いから、係る用途には適宜倍率の拡尺目盛の目盛パターンを採用することもできる。その他、複写機の拡大・縮小複写機能に対応した拡縮尺目盛の目盛パターン等を採用することもできる。
【００４９】
図５に示す定規も本発明の定規の一例であり、この定規の目盛表示部２２に表示可能な３種類の目盛パターンはいずれもセンチメートル目盛の目盛パターンであるが、その目盛数字の配置が互いに異なっている。すなわち、第１の目盛パターンにおいては図５（ａ）に示されるとおり、センチメートル単位の目盛数字が左端を０として左側から右側に向けて数値が順次大きくなる様に配列されている（右向き配列）のに対し、第２の目盛パターンにおいては図５（ｂ）に示されるとおり、センチメートル単位の目盛数字が右端を０として右側から左側に向けて数値が順次大きくなる様に配列されており（左向き配列）、第３の目盛パターンにおいては図５（ｃ）に示されるとおり、センチメートル単位の目盛数字が中央を０としてその左右両側に向けて数値が順次大きくなる様に配列されている（中央振り分け配列）。このうち中央振り分け配列の目盛パターンには、目盛数字「０」を付した目盛線から右側の目盛パターンの背景の一部（１ｍｍ間隔の目盛線の長さに相当する幅の部分）を、当該目盛パターンの背景の他の部分とは異なる色彩に着色している。勿論この他にも、３種類の目盛パターンを相互に容易に区別できる様に、前述した各種の定規の場合と同様に、目盛線２３の色彩、目盛数字２４の色彩及び／又は目盛パターンの背景の色彩による区別手段を施すこともできる。
【００５０】
この定規は、測定対象物の左端から右側に向けて長さを測る場合には右向き配列、測定対象物の右端から左側に向けて長さを測る場合には左向き配列、測定対象物の左右方向の中間部のある一点から左右両側に向けて長さを測る場合には中央振り分け配列の目盛数字を有する目盛パターンを利用することにより、測定作業の効率化が可能となる。また、定規を利用して筆記具によりある所望の長さの線を引く場合に、右利きの人は右向き配列の目盛パターンを利用して左端から右側に向けて目盛を読み取りながら線を引くのが便利であるのに対し、左利きの人は逆に左向き配列の目盛パターンを利用して右端から左側に向けて目盛を読み取りながら線を引くのが便利であるから、これら右向き配列及び左向き配列の２種類の目盛パターンを少なくとも表示可能とすることにより、右利きの人にも左利きの人にも使い易いユニバーサルデザインの定規とすることができる。
【図面の簡単な説明】
【００５１】
【図１】本発明の定規の一例における定規本体の目盛表示部に沿った辺に垂直な面による部分垂直断面図。
【図２】本発明の定規の一例における目盛表示部に表示される目盛パターンの変化を示す平面図。
【図３】本発明の定規の一例における目盛表示部に表示される目盛パターンの変化を示す平面図。
【図４】本発明の定規の一例における目盛表示部に表示される目盛パターンの変化を示す平面図。
【図５】本発明の定規の一例における目盛表示部に表示される目盛パターンの変化を示す平面図。
【符号の説明】
【００５２】
１                          レンチキュラーレンズ
１１                        レンチキュラーレンズの表面
１２                        レンチキュラーレンズの背面
２                          集積縮小パターン
ａ１，ａ２，ａ３，‥‥      第１のパターンの縮小パターン
ｂ１，ｂ２，ｂ３，‥‥      第２のパターンの縮小パターン
ｃ１，ｃ２，ｃ３，‥‥      第３のパターンの縮小パターン
３                          裏打材
４                          定規本体の端部
Ａ                          第１のパターンを観察する時の視角
Ｂ                          第２のパターンを観察する時の視角
Ｃ                          第３のパターンを観察する時の視角
２１                        定規本体
２２                        目盛表示部
２３                        目盛線
２４                        目盛数字
２５                        目盛表示部に沿った辺
【図１】
2006214848.tif 000003
【図２】
2006214848.tif 000004
【図３】
2006214848.tif 000005
【図４】
2006214848.tif 000006
【図５】
2006214848.tif 000007